(57)【要約】【課題】マクロ無線基地局ＭＢＳ及びフェムト無線基地局ＦＢＳが混在する移動通信システムにおける干渉の影響を抑制する。【解決手段】本発明に係る移動通信方法は、第１無線基地局ＭＢＳが、配下の第１セルにおいて通信中の第１移動局ＭＵＥが下り制御情報又は上り制御情報を送信する制御チャネル用の無線リソースを割り当てている場合、無線リソースを特定する情報を含むスケジューリング情報を、第２無線基地局ＦＢＳに対して通知する工程Ａと、第２無線基地局ＦＢＳが、スケジューリング情報に基づいて、配下の第２セルにおいて通信中の第２移動局ＦＵＥが下り制御情報又は上り制御情報を送信する制御チャネル用の無線リソースを割り当てる工程Ｂとを有する。【選択図】図９
2010171885.tif 000002
【特許請求の範囲】
【請求項１】
第１無線基地局が、配下の第１セルにおいて通信中の第１移動局が下り制御情報又は上り制御情報を送信する制御チャネル用の無線リソースを割り当てている場合、該無線リソースを特定する情報を含むスケジューリング情報を、第２無線基地局に対して通知する工程Ａと、
前記第２無線基地局が、前記スケジューリング情報に基づいて、配下の第２セルにおいて通信中の第２移動局が下り制御情報又は上り制御情報を送信する制御チャネル用の無線リソースを割り当てる工程Ｂとを有することを特徴とする移動通信方法。
【請求項２】
前記工程Ｂにおいて、前記第２無線基地局は、前記第１移動局が前記下り制御情報を受信するために探索する領域と前記第２移動局が前記下り制御情報を受信するために探索する領域とが重複しないように、前記無線リソースを割り当てることを特徴とする請求項１に記載の移動通信方法。
【請求項３】
ＬＴＥ（Ｌｏｎｇ  Ｔｅｒｍ  Ｅｖｏｌｕｒｉｏｎ）方式の移動通信システムで用いられる移動通信方法であって、
前記上り制御情報を送信する制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、
前記下り制御情報を送信する制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含むことを特徴とする請求項１に記載の移動通信方法。
【請求項４】
第１無線基地局及び第２無線基地局が混在する移動通信システムにおいて該第１無線基地局として機能する無線基地局であって、
配下の第１セルにおいて通信中の第１移動局に対して、下り制御情報又は上り制御情報を送信する制御チャネル用の無線リソースを割り当てるように構成されている無線リソース割当部と、
前記無線リソース割当部によって割り当てられている前記無線リソースを特定する情報を含むスケジューリング情報を、前記第２無線基地局に対して通知するように構成されている通知部とを具備することを特徴とする無線基地局。
【請求項５】
第１無線基地局及び第２無線基地局が混在する移動通信システムにおいて該第２無線基地局として機能する無線基地局であって、
前記第１無線基地局が、配下の第１セルにおいて通信中の第１移動局が下り制御情報又は上り制御情報を送信する制御チャネル用の無線リソースを割り当てている場合、該第１無線基地局から、該無線リソースを特定する情報を含むスケジューリング情報を受信するように構成されているスケジューリング情報受信部と、
前記スケジューリング情報に基づいて、配下の第２セルにおいて通信中の第２移動局が下り制御情報又は上り制御情報を送信する制御チャネル用の無線リソースを割り当てるように構成されている無線リソース割当部とを具備することを特徴とする無線基地局。
【請求項６】
前記無線リソース割当部は、前記第１移動局が前記下り制御情報を受信するために探索する領域と前記第２移動局が前記下り制御情報を受信するために探索する領域とが重複しないように、前記無線リソースを割り当てるように構成されていることを特徴とする請求項５に記載の無線基地局。
【請求項７】
前記移動通信システムは、ＬＴＥ（Ｌｏｎｇ  Ｔｅｒｍ  Ｅｖｏｌｕｒｉｏｎ）方式の移動通信システムであり、
前記上り制御情報を送信する制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）を含み、
前記下り制御情報を送信する制御チャネルは、ＰＤＣＣＨ（Ｐｈｙｓｉｃａｌ  Ｄｏｗｎｌｉｎｋ  Ｃｏｎｔｒｏｌ  Ｃｈａｎｎｅｌ）を含むことを特徴とする請求項４乃至６のいずれか一項に記載の無線基地局。
【発明の詳細な説明】
【技術分野】
【０００１】
本発明は、移動通信方法及び無線基地局に関する。
【背景技術】
【０００２】
図１０に示すように、マクロ無線基地局ＭＢＳ（Ｍａｃｒｏ  Ｂａｓｅ  Ｓｔａｔｉｏｎ、「ｅＮｏｄｅＢ」や「ｅＮＢ」とも呼ばれる）と、フェムト無線基地局ＦＢＳ（Ｆｅｍｔｏ  Ｂａｓｅ  Ｓｔａｔｉｏｎ、「ＨｅＮＢ」や「ＨＮＢ」とも呼ばれる）とが混在する移動通信システムの運用が検討されている。
【０００３】
ここで、マクロ無線基地局ＭＢＳと通信を行う移動局を「マクロ移動局ＭＵＥ（Ｍａｃｒｏ  Ｕｓｅｒ  Ｅｑｕｉｐｍｅｎｔ）」と呼び、フェムト無線基地局ＦＢＳと通信を行う移動局を「フェムト移動局ＦＵＥ（Ｆｅｍｔｏ  Ｕｓｅｒ  Ｅｑｕｉｐｍｅｎｔ）」と呼ぶ。
【０００４】
また、フェムト無線基地局ＦＢＳ配下のセルは、「ＣＳＧ（Ｃｌｏｓｅｄ  Ｓｕｂｓｃｒｉｂｅｒ  Ｇｒｏｕｐ）セル」と呼ばれてもよい。ＣＳＧセルでは、ＣＳＧに属する特定の移動局にのみ接続が許容される。例えば、家族毎にＣＳＧが設定され、家族のみが家庭に設置したＣＳＧセルに接続可能となる、といった具合である。ＣＳＧセルでは、接続許可される移動局がＣＳＧメンバーに限定されるため、ＣＳＧセルへのアクセス権のない移動局がＣＳＧセルの近傍に居て、他のセル、例えば、マクロ無線基地局ＭＢＳ配下のセルに接続して通信を行っている場合が容易に想定される。
【０００５】
このように、フェムト無線基地局ＦＢＳ及びマクロ無線基地局ＭＢＳが混在する環境下では、フェムト無線基地局ＦＢＳの勢力圏内にマクロ移動局ＭＵＥが存在する場合がある。
【先行技術文献】
【非特許文献】
【０００６】
【非特許文献１】３ＧＰＰ  ＴＳ３６.３００  ｖ８.７.０
【発明の概要】
【発明が解決しようとする課題】
【０００７】
しかしながら、上述の移動通信システムにおいて、マクロ無線基地局ＭＢＳ及びフェムト無線基地局ＦＢＳが同一の周波数帯域において運用された場合には、著しい品質劣化や容量低下を招く可能性があるという問題点があった。
【０００８】
特に、マクロ移動局ＭＵＥが、フェムト無線基地局ＦＢＳの近傍に存在する場合、マクロ移動局ＭＵＥとフェムト無線基地局ＦＢＳとの干渉が問題となる。
【０００９】
特に、マクロ移動局ＭＵＥが、フェムト無線基地局ＦＢＳ配下のＣＳＧセルへのアクセス権がなく、フェムト無線基地局ＦＢＳの直近で通知を行おうとする場合、マクロ移動局ＭＵＥとフェムト無線基地局ＦＢＳとの干渉が深刻な問題となる。
【００１０】
図１０の例では、同じマクロ無線基地局ＭＢＳに接続するマクロ移動局ＭＵＥ１及びＭＵＥ２であっても、マクロ移動局ＭＵＥ２とフェムト無線基地局ＦＢＳとの間の干渉は両者の距離が遠いため大きな問題とならないが、マクロ移動局ＭＵＥ１とフェムト無線基地局ＦＢＳとの間の干渉は両者の距離が近いため大きな問題となる。
【００１１】
例えば、マクロ移動局ＭＵＥ１が、上り信号を送信する際に、フェムト移動局ＦＵＥが、同時に同じ無線リソースを使って上り信号を送信すると、フェムト無線基地局ＦＢＳが、マクロ移動局ＭＵＥ１からの干渉を受け、フェムト移動局ＦＵＥからの上り信号を正しく受信できない可能性がある。
【００１２】
同様に、マクロ移動局ＭＵＥ１が、マクロ無線基地局ＭＢＳからの下り信号を受信する際に、フェムト無線基地局ＦＢＳ、同時に同じ無線リソースを使ってフェムト移動局ＦＵＥに下り信号を送信すると、マクロ移動局ＭＵＥ１が、マクロ無線基地局ＭＢＳからの下り信号を正しく受信できない可能性がある。
【００１３】
そこで、本発明は、上述の課題に鑑みてなされたものであり、マクロ無線基地局ＭＢＳ（第１無線基地局）及びフェムト無線基地局ＦＢＳ（第２無線基地局）が混在する移動通信システムにおける干渉の影響を抑制することができる移動通信方法及び無線基地局を提供することを目的とする。
【課題を解決するための手段】
【００１４】
本発明の第１の特徴は、移動通信方法であって、第１無線基地局が、配下の第１セルにおいて通信中の第１移動局が下り制御情報又は上り制御情報を送信する制御チャネル用の無線リソースを割り当てている場合、該無線リソースを特定する情報を含むスケジューリング情報を、第２無線基地局に対して通知する工程Ａと、前記第２無線基地局が、前記スケジューリング情報に基づいて、配下の第２セルにおいて通信中の第２移動局が下り制御情報又は上り制御情報を送信する制御チャネル用の無線リソースを割り当てる工程Ｂとを有することを要旨とする。
【００１５】
本発明の第２の特徴は、第１無線基地局及び第２無線基地局が混在する移動通信システムにおいて該第１無線基地局として機能する無線基地局であって、配下の第１セルにおいて通信中の第１移動局に対して、下り制御情報又は上り制御情報を送信する制御チャネル用の無線リソースを割り当てるように構成されている無線リソース割当部と、前記無線リソース割当部によって割り当てられている前記無線リソースを特定する情報を含むスケジューリング情報を、前記第２無線基地局に対して通知するように構成されている通知部とを具備することを要旨とする。
【００１６】
本発明の第２の特徴は、第１無線基地局及び第２無線基地局が混在する移動通信システムにおいて該第２無線基地局として機能する無線基地局であって、前記第１無線基地局が、配下の第１セルにおいて通信中の第１移動局が下り制御情報又は上り制御情報を送信する制御チャネル用の無線リソースを割り当てている場合、該第１無線基地局から、該無線リソースを特定する情報を含むスケジューリング情報を受信するように構成されているスケジューリング情報受信部と、前記スケジューリング情報に基づいて、配下の第２セルにおいて通信中の第２移動局が下り制御情報又は上り制御情報を送信する制御チャネル用の無線リソースを割り当てるように構成されている無線リソース割当部とを具備することを要旨とする。
【発明の効果】
【００１７】
以上説明したように、本発明によれば、マクロ無線基地局ＭＢＳ（第１無線基地局）及びフェムト無線基地局ＦＢＳ（第２無線基地局）が混在する移動通信システムにおける干渉の影響を抑制することができる移動通信方法及び無線基地局を提供することができる。
【図面の簡単な説明】
【００１８】
【図１】本発明の第１の実施形態に係る移動通信システムの全体構成図である。
【図２】本発明の第１の実施形態に係るマクロ無線基地局の機能ブロック図である。
【図３】本発明の第１の実施形態に係るマクロ無線基地局によって割り当てられるＰＵＣＣＨ用無線リソース及びＰＵＳＣＨ用無線リソースの一例を示す図である。
【図４】本発明の第１の実施形態に係るマクロ無線基地局によって割り当てられるＰＵＣＣＨ用無線リソース及びＰＵＳＣＨ用無線リソースの一例を示す図である。
【図５】本発明の第１の実施形態に係るマクロ無線基地局によって割り当てられるＰＣＦＩＣＨ用無線リソースやＰＨＩＣＨ用無線リソースやＰＤＣＣＨ用無線リソースの一例を示す図である。
【図６】本発明の第１の実施形態に係るマクロ無線基地局からフェムト無線基地局に通知されるＭＢＳ割当無線リソース情報に含まれる「ＰＨＩＣＨ  Ｃｏｎｆｉｇｕｒａｔｉｏｎ」の一例について説明するための図である。
【図７】本発明の第１の実施形態に係るフェムト無線基地局の機能ブロック図である。
【図８】本発明の第１の実施形態に係る移動通信システムで用いられる「ＵＥ-ｓｐｅｃｉｆｉｃ  Ｓｅａｒｃｈ  Ｓｐａｃｅ」について説明するための図である。
【図９】本発明の第１の実施形態に係る移動通信システムの動作を示すシーケンス図である。
【図１０】従来の移動通信システムの問題点を説明するための図である。
【発明を実施するための形態】
【００１９】
（本発明の第１の実施形態に係る移動通信システム）
図１乃至図８を参照して、本発明の第１の実施形態に係る移動通信システムの構成について説明する。
【００２０】
図１に示すように、本実施形態に係る移動通信システムは、マクロ無線基地局ＭＢＳ１乃至ＭＢＳ３と、フェムト無線基地局ＦＢＳ１乃至ＦＢＳ３と、フェムト無線基地局ＦＢＳ１乃至ＦＢＳ３を集約するゲートウェイ装置ＨＧＷ（Ｈｏｍｅ  ｅＮＢ  Ｇａｔｅｗａｙ）と、マクロ無線基地局ＭＢＳ１乃至ＭＢＳ３を集約し、ゲートウェイ装置ＨＧＷに接続されている交換局ＭＭＥ（Ｍｏｂｉｌｉｔｙ  Ｍａｎａｇｅｍｅｎｔ  Ｅｑｕｉｐｍｅｎｔ）とを具備している。
【００２１】
フェムト無線基地局ＦＢＳ１乃至ＦＢＳ３とゲートウェイ装置ＨＧＷとがＳ１インターフェイスで接続されており、ゲートウェイ装置ＨＧＷと交換局ＭＭＥとがＳ１インターフェイスで接続されており、マクロ無線基地局ＭＢＳ１乃至ＭＢＳ３と交換局ＭＭＥとがＳ１インターフェイスで接続されており、マクロ無線基地局ＭＢＳ１乃至ＭＢＳ３同士がＸ２インターフェイスで接続されている。
【００２２】
ここで、フェムト無線基地局ＦＢＳ１乃至ＦＢＳ３同士がＸ２インターフェイスで接続されていてもよい。また、ゲートウェイ装置ＨＧＷを介することなく、フェムト無線基地局ＦＢＳ１乃至ＦＢＳ３と交換局ＭＭＥとがＳ１インターフェイスで接続されていてもよい。
【００２３】
以下、図２を参照して、マクロ無線基地局ＭＢＳ１乃至ＭＢＳ３の構成について説明する。ここで、マクロ無線基地局ＭＢＳ１乃至ＭＢＳ３の構成は、基本的に同一であるため、以下、これらを代表して、マクロ無線基地局ＭＢＳ（第１無線基地局）として説明する。
【００２４】
図２に示すように、マクロ無線基地局ＭＢＳは、無線リソース割当部１１と、ＭＵＥ通知部１２と、ＦＢＳ通知部１３とを具備している。
【００２５】
無線リソース割当部１１は、配下のマクロセル（第１セル）において通信中の第１移動局（以下、マクロ移動局ＭＵＥ）に対して、下り制御情報又は上り制御情報を送信する制御チャネル用の無線リソースを割り当てるように構成されている。
【００２６】
また、無線リソース割当部１１は、マクロ移動局ＭＵＥに対して、上りデータ（トランスポートブロック）を送信するデータチャネル用の無線リソースとして、ＰＵＳＣＨ（Ｐｈｙｓｉｃａｌ  Ｕｐｌｉｎｋ  Ｓｈａｒｅｄ  Ｃｈａｎｎｅｌ）用の無線リソース、すなわち、リソースブロック（ＲＢ：Ｒｅｓｏｕｒｃｅ  Ｂｌｏｃｋ）を割り当てるように構成されている。
【００２７】
また、無線リソース割当部１１は、マクロ移動局ＭＵＥに対して、下りデータ（トランスポートブロック）を送信するデータチャネル用の無線リソースとして、ＰＤＳＣＨ（Ｐｈｙｓｉｃａｌ  Ｄｏｗｎｌｉｎｋ  Ｓｈａｒｅｄ  Ｃｈａｎｎｅｌ）用の無線リソース、すなわち、リソースブロックを割り当てるように構成されている。
【００２８】
ここで、本実施形態に係る移動通信システムでは、ＰＵＳＣＨ及びＰＤＳＣＨに対しては、ＨＡＲＱ再送制御が適用されているが、ＰＵＣＣＨやＰＣＦＩＣＨやＰＨＩＣＨやＰＤＣＣＨに対しては、ＨＡＲＱ再送制御が適用されないように構成されている。
【００２９】
すなわち、本実施形態に係る移動通信システムでは、ＰＤＣＣＨを介して送信される下りデータ及びＰＵＣＣＨを介して送信される上りデータの受信に失敗した場合であっても、ＨＡＲＱ再送制御によって救済することができる。
【００３０】
一方、本実施形態に係る移動通信システムでは、ＰＵＣＣＨを介して送信される上り制御情報及びＰＣＦＩＣＨやＰＨＩＣＨやＰＤＣＣＨを介して送信される下り制御情報の受信に失敗した場合には、ＨＡＲＱ再送制御によって救済されない。
【００３１】
例えば、無線基地局ｅＮＢが、ＰＵＣＣＨを介して送信される上り制御情報（ＣＱＩ（Ｃｈａｎｎｅｌ  Ｑｕａｌｉｔｙ  Ｉｎｄｉｃａｔｏｒ）や、下りデータに対するＡＣＫ/ＮＡＣＫや、スケジューリング要求（ＳＲ：Ｓｃｈｅｄｕｌｉｎｇ  Ｒｅｑｕｅｓｔ）等）の受信に失敗すると、ＡＭＣ（Ａｄａｐｔｉｖｅ  Ｍｏｄｕｌａｔｉｏｎ  ａｎｄ  Ｃｏｄｉｎｇ）制御や送信電力制御やＨＡＲＱ再送制御や無線リソース割当（スケジューリング）処理を適切に行うことができなくなり、無線効率が低下してしまう。
【００３２】
したがって、本実施形態に係る移動通信システムでは、制御チャネルの品質を確保すること、すなわち、かかる制御チャネルに対する干渉を抑制することを重要視している。
【００３３】
具体的には、無線リソース割当部１１は、マクロ移動局ＭＵＥに対して、上り制御情報を送信する制御チャネル用の無線リソースとして、ＰＵＣＣＨ（Ｐｈｙｓｉｃａｌ  Ｕｐｌｉｎｋ  Ｃｏｎｔｒｏｌ  Ｃｈａｎｎｅｌ）用の無線リソースを割り当てるように構成されている。
【００３４】
図３及び図４に示すように、無線リソース割当部１１は、システム帯域幅における両端のリソースブロック内の無線リソースを、ＰＵＣＣＨ用の無線リソースとして割り当て、かかるリソースブロックの内側のリソースブロックを、ＰＵＳＣＨ用の無線リソースとして割り当てるように構成されている。
【００３５】
図３に示すように、ＰＵＣＣＨ用のリソースブロックでは、コード多重が行われるように構成されている。したがって、ＰＵＣＣＨ用の無線リソースは、リソースブロックとコードとによって特定される。なお、リソースブロックは、時間リソースであるＯＦＤＭシンボルと、周波数リソースであるサブキャリアとによって特定される。
【００３６】
また、無線リソース割当部１１は、１つのサブフレーム内の前半部分（スロット）と後半部分（スロット）との間で、図３に示すような「Ｉｎｔｒａ-ｓｕｂｆｒａｍｅ  ｈｏｐｐｉｎｇ」によって、マクロ移動局ＭＵＥに対して割り当てる無線リソースを決定するように構成されている。
【００３７】
図４に示すように、ＰＵＣＣＨ用の無線リソースとなり得るリソースブロックには、システム帯域幅の両端から順番にリソース番号が付与されており、リソース番号の若い無線リソースから順番に、ＣＱＩを送信するＰＵＣＣＨ用の無線リソースとして割り当てられ、残りの無線リソースが、下りデータのＡＣＫ/ＮＡＣＫを送信するＰＵＣＣＨ用の無線リソース及びＳＲを送信するＰＵＣＣＨ用の無線リソースとして割り当てられる。
【００３８】
また、無線リソース割当部１１は、マクロ移動局ＭＵＥに対して、下り制御情報を送信する制御チャネル用の無線リソースとして、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）用の無線リソースと、ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）用の無線リソースと、ＰＤＣＣＨ（Ｐｈｙｓｉｃａｌ  Ｄｏｗｎｌｉｎｋ  Ｃｏｎｔｒｏｌ  Ｃｈａｎｎｅｌ）用の無線リソースとを割り当てるように構成されている。
【００３９】
図５に示すように、無線リソース割当部１１は、１つのサブフレーム内の先頭の１番目〜３番目のＯＦＤＭシンボル内の無線リソースを、ＰＣＦＩＣＨ用の無線リソース、ＰＨＩＣＨ用の無線リソース、及び、ＰＤＣＣＨ用の無線リソースとして割り当て、残りのＯＦＤＭシンボル内の無線リソースを、ＰＤＳＣＨ用の無線リソースとして割り当てるように構成されている。
【００４０】
ＰＣＦＩＣＨは、１つのサブフレーム内の先頭のいくつのＯＦＤＭシンボル（１ＯＦＤＭシンボル〜３ＯＦＤＭシンボル）が、ＰＣＦＩＣＨ用の無線リソース、ＰＨＩＣＨ用の無線リソース、及び、ＰＤＣＣＨ用の無線リソースとして割り当てられるかについて示す情報を送信する制御チャネルである。
【００４１】
ＰＣＦＩＣＨ用の無線リソースの割り当て位置は、固定されており、ＰＣＦＩＣＨ用の無線リソースは、１つのサブフレーム内の先頭のＯＦＤＭシンボル内で周波数方向に４回繰り返し割り当てられるように構成されている。かかる周波数方向の位置は、各セルを特定するセル識別情報（ＰＣＩ：Ｐｔｈｉｓｉｃａｌ  Ｃｅｌｌ  ＩＤ）によって決定される。
【００４２】
ＰＨＩＣＨは、ＨＡＲＱ再送制御が適用されているＰＵＳＣＨを介して送信される下りデータに対するＡＣＫ/ＮＡＣＫを送信する制御チャネルである。ＰＨＩＣＨ用の無線リソースは、ＰＣＦＩＣＨによって規定されるＯＦＤＭシンボル内で周波数方向に３回繰り返し割り当てられるように構成されている。
【００４３】
また、ＰＨＩＣＨ用の無線リソースに使用するＯＦＤＭシンボル数及びＰＨＩＣＨグループ数（本数）を設定することによって、ＰＨＩＣＨ用の無線リソースの容量を調整することができる。これらの設定は、無線基地局ｅＮＢから移動局ＵＥに対して、報知情報であるＭＩＢ（Ｍａｓｔｅｒ  Ｉｎｆｏｍａｔｉｏｎ  Ｂｌｏｃｋ）によって通知されるように構成されている。
【００４４】
ＰＤＣＣＨは、ＰＤＳＣＨ用の無線リソース及びＰＵＳＣＨ用の無線リソースの割り当て結果（ＤＬ  Ｇｒａｎｔ及びＵＬ  Ｇｒａｎｔ）を通知するために使われる制御チャネルである。
【００４５】
ＰＤＣＣＨ用の無線リソースとしては、ＰＣＦＩＣＨによって規定されるＯＦＤＭシンボル内の無線リソースのうち、ＰＣＦＩＣＨ用の無線リソース及びＰＨＩＣＨ用の無線リソースが割り当てられていない無線リソースが割り当てられるように構成されている。
【００４６】
また、ＰＤＣＣＨは、移動局ＵＥ毎の個別の無線リソース（ＰＤＳＣＨ用の無線リソース及びＰＵＳＣＨ用の無線リソース等）の割り当て結果を通知する以外にも、ＢＣＣＨ（Ｂｒｏａｄｃａｓｔ  Ｃｏｎｔｒｏｌ  Ｃｈａｎｎｅｌ）にマッピングされる情報や、ＰＣＣＨ（Ｐａｇｉｎｇ  Ｃｏｎｔｒｏｌ  Ｃｈａｎｎｅｌ）にマッピングされる情報や、ＲＡ（Ｒａｎｄｏｍ  Ａｃｃｅｓｓ）応答や、ＰＵＣＣＨやＰＵＳＣＨにおける送信電力制御コマンドの送信にも使用される。
【００４７】
なお、ＰＤＣＣＨ用の無線リソースを割り当て可能な領域は、「ＣＣＥ（Ｃｏｎｔｒｏｌ  Ｃｈａｎｎｅｌ  Ｅｌｅｍｅｎｔ）」という小さな単位に分割されており、各ＰＤＣＣＨ用の無線リソースとしては、１、２、４或いは８個のＣＣＥを含む無線リソースが割り当てられる。ここで、ＣＣＥの数は、伝搬環境等によって選択される「Ａｇｇｒｅｇａｔｉｏｎ  Ｌｅｖｅｌ」によって決定される。
【００４８】
１つのサブフレーム内に多重可能なＰＤＣＣＨの本数は、「Ａｇｇｒｅｇａｔｉｏｎ  Ｌｅｖｅｌ」とＯＦＤＭシンボル数とＰＨＩＣＨに対する設定内容とによって決定される。また、ＰＤＣＣＨのフォーマットは、用途に応じて、様々なフォーマット（Ｆｏｒｍａｔ  ０/１/１ａ/１ｂ/１ｃ/１ｄ/２/２ａ/３/３ａ）になり得る。
【００４９】
ＭＵＥ通知部１２は、無線リソース割当部１１による無線リソースの割り当て結果を、マクロ移動局ＭＵＥに通知するように構成されている。例えば、ＭＵＥ通知部１２は、ＰＤＣＣＨを介して、マクロ移動局ＭＵＥに対して、ＰＤＳＣＨ用の無線リソース及びＰＵＳＣＨ用の無線リソースの割り当て結果（ＤＬ  Ｇｒａｎｔ及びＵＬ  Ｇｒａｎｔ）を通知するように構成されている。
【００５０】
ＦＢＳ通知部１３は、無線リソース割当部１１による無線リソースの割り当て結果（かかる無線リソースを特定する情報）を含むスケジューリング情報を、フェムト無線基地局ＦＢＳ（第２無線基地局）に対して通知するように構成されている。
【００５１】
例えば、ＦＢＳ通知部１３は、フェムト無線基地局ＦＢＳに対して、無線リソース割当部１１による無線リソースの割り当て結果（かかる無線リソースを特定する情報）として、ＰＣＦＩＣＨによって通知しているＯＦＤＭシンボル数や図６に示す「ＰＨＩＣＨ-Ｃｏｎｆｉｇｕｒａｔｉｏｎ」の内容（ＰＨＩＣＨの設定内容）を含むスケジューリング情報を通知するように構成されていてもよい。
【００５２】
なお、ＦＢＳ通知部１３は、フェムト無線基地局ＦＢＳに対して、無線リソース割当部１１による無線リソースの割り当て結果（かかる無線リソースを特定する情報）として、上りリンクにおけるＳＲＳ（Ｓｏｕｎｄｉｎｇ  Ｒｅｆｅｒｅｎｃｅ  Ｓｉｇｎａｏｌ）の割り当て結果や、「Ｓｅｍｉ-Ｐｅｒｓｉｓｔｅｎｔ  Ｓｃｈｅｄｕｌｉｎｇ  Ｒｅｓｏｕｒｃｅ」の割り当て結果等を含むスケジューリング情報を通知するように構成されていてもよい。
【００５３】
以下、図７を参照して、フェムト無線基地局ＦＢＳ１乃至ＦＢＳ３の構成について説明する。ここで、フェムト無線基地局ＦＢＳ１乃至ＦＢＳ３の構成は、基本的に同一であるため、以下、これらを代表して、フェムト無線基地局ＦＢＳ（第２無線基地局）として説明する。
【００５４】
図７に示すように、フェムト無線基地局ＦＢＳは、スケジューリング情報受信部２１と、無線リソース割当部２２と、ＦＵＥ通知部２３とを具備している。
【００５５】
スケジューリング情報受信部２１は、マクロ無線基地局ＭＢＳによって送信されたスケジューリング情報を受信するように構成されている。
【００５６】
無線リソース割当部２２は、配下のフェムトセル（第２セル）において通信中の第２移動局（以下、フェムト移動局ＦＵＥ）に対して、上りデータを送信するデータチャネル用の無線リソースとして、ＰＵＳＣＨ用の無線リソース、すなわち、リソースブロックを割り当てるように構成されている。
【００５７】
また、無線リソース割当部２２は、フェムト移動局ＦＵＥに対して、下りデータを送信するデータチャネル用の無線リソースとして、ＰＤＳＣＨ用の無線リソース、すなわち、リソースブロックを割り当てるように構成されている。
【００５８】
また、無線リソース割当部２２は、スケジューリング情報受信部２１によって受信されたスケジューリング情報に基づいて、フェムト移動局ＦＵＥが下り制御情報又は上り制御情報を送信する制御チャネル用の無線リソースを割り当てるように構成されている。
【００５９】
具体的には、無線リソース割当部２２は、マクロ移動局ＭＵＥに対して、上り制御情報を送信する制御チャネル用の無線リソースとして、ＰＵＣＣＨ用の無線リソースを割り当てるように構成されている。
【００６０】
また、無線リソース割当部２２は、マクロ移動局ＭＵＥに対して、下り制御情報を送信する制御チャネル用の無線リソースとして、ＰＣＦＩＣＨ用の無線リソースと、ＰＨＩＣＨ用の無線リソースと、ＰＤＣＣＨ用の無線リソースとを割り当てるように構成されている。
【００６１】
なお、各移動局ＵＥは、ＰＤＣＣＨを介して、自局宛ての下り制御情報を受信するために「ｂｌｉｎｄ  ｄｅｔｅｃｔｉｏｎ」を行うように構成されている。しかしながら、「Ａｇｇｒｅｇａｔｉｏｎ  Ｌｅｖｅｌ」や「ＰＤＣＣＨのフォーマット」の組み合わせは極めて多いため、各移動局ＵＥにおける処理量を低減するために、移動局ＵＥ毎に、自局宛てのＰＤＣＣＨ用の無線リソースを探索すべき領域、すなわち、下り制御情報を受信する単に探索する領域が限定されている。
【００６２】
具体的には、図８に示すように、各移動局ＵＥは、「Ｃｏｍｍｏｎ  Ｓｅａｒｃｈ  Ｓｐａｃｅ」及び各移動局用の「ＵＥ-Ｓｐｅｃｉｆｉｃ  Ｓｅａｒｃｈ  Ｓｐａｃｅ」のみに対して、「ｂｌｉｎｄ  ｄｅｔｅｃｔｉｏｎ」を行えばよい、すなわち、「Ｃｏｍｍｏｎ  Ｓｅａｒｃｈ  Ｓｐａｃｅ」及び各移動局用の「ＵＥ-Ｓｐｅｃｉｆｉｃ  Ｓｅａｒｃｈ  Ｓｐａｃｅ」のみにおいて、ＰＤＣＣＨ用の無線リソースを探索すればよい。
【００６３】
すなわち、各移動局ＵＥは、特定のＣＣＥにおいて、特定のパターンの「Ａｇｇｒｅｇａｔｉｏｎ  Ｌｅｖｅｌ」や「ＰＤＣＣＨのフォーマット」の組み合わせを用いて「ｂｌｉｎｄ  ｄｅｔｅｃｔｉｏｎ」を行えばよい。
【００６４】
なお、「Ｃｏｍｍｏｎ  Ｓｅａｒｃｈ  Ｓｐａｃｅ」は、３ＧＰＰ規格のＴＳ３６.２１３に規定されているものであり、全ての移動局ＵＥにおいて、ＢＣＣＨにマッピングされている情報やＰＣＣＨにマッピングされている情報やＲＡ応答等を送信するためのＰＤＣＣＨ用の無線リソースを探索すべき領域である。
【００６５】
一方、各移動局用の「ＵＥ-Ｓｐｅｃｉｆｉｃ  Ｓｅａｒｃｈ  Ｓｐａｃｅ」は、３ＧＰＰ規格のＴＳ３６.２１３に規定されているものであり、各移動局ＵＥを特定するＵＥ-ＩＤ（Ｃ-ＲＮＴＩ：Ｃｅｌｌ-Ｒａｄｉｏ  Ｎｅｔｗｏｒｋ  Ｔｅｍｐｏｒａｒｙ  Ｉｄｅｎｔｉｔｙ）によって決定されるものである。
【００６６】
ここで、無線リソース割当部２２は、マクロ移動局ＭＵＥが下り制御情報を受信するために探索する領域（ＵＥ-Ｓｐｅｃｉｆｉｃ  Ｓｅａｒｃｈ  Ｓｐａｃｅ）とフェムト移動局ＦＵＥが下り制御情報を受信するために探索する領域（ＵＥ-Ｓｐｅｃｉｆｉｃ  Ｓｅａｒｃｈ  Ｓｐａｃｅ）とが重複しないように、上述の無線リソースを割り当てるように構成されていてもよい。
【００６７】
（本発明の第１の実施形態に係る移動通信システムの動作）
図９を参照して、本発明の第１の実施形態に係る移動通信システムの動作について説明する。
【００６８】
図９に示すように、ステップＳ１００１において、マクロ無線基地局ＭＢＳは、マクロ移動局ＭＵＥに対して、下り制御情報及び上り制御情報を送信する制御チャネル用の無線リソースを割り当てる。
【００６９】
マクロ無線基地局ＭＢＳは、ステップＳ１００２において、ＰＤＣＣＨを介して、マクロ移動局ＭＵＥに対して、かかる無線リソースを通知すると共に、ステップＳ１００３において、フェムト無線基地局ＦＢＳに対して、かかる無線リソースを特定する情報を含むスケジューリング情報を通知する。
【００７０】
ステップＳ１００４において、フェムト無線基地局ＦＢＳは、フェムト移動局ＦＵＥに対して、下り制御情報及び上り制御情報を送信する制御チャネル用の無線リソースを割り当てる。
【００７１】
ここで、フェムト無線基地局ＦＢＳは、マクロ移動局ＭＵＥの「ＵＥ-Ｓｐｅｃｉｆｉｃ  Ｓｅａｒｃｈ  Ｓｐａｃｅ」とフェムト移動局ＦＵＥの「ＵＥ-Ｓｐｅｃｉｆｉｃ  Ｓｅａｒｃｈ  Ｓｐａｃｅ」とが重複しないように、上述の無線リソースを割り当てる。
【００７２】
ステップＳ１００５において、フェムト無線基地局ＦＢＳは、ＰＤＣＣＨを介して、フェムト移動局ＦＵＥに対して、かかる無線リソースを通知する。
【００７３】
（本発明の第１の実施形態に係る移動通信システムの作用・効果）
本発明の第１の実施形態に係る移動通信システムによれば、マクロ無線基地局ＭＢＳがフェムト無線基地局ＦＢＳに対してスケジューリング情報を通知することができるので、フェムト無線基地局ＦＢＳにおいて干渉を効果的に低減することができる。
【００７４】
以上に述べた本実施形態の特徴は、以下のように表現されていてもよい。
【００７５】
本実施形態の第１の特徴は、移動通信方法であって、マクロ無線基地局ＭＢＳ（第１無線基地局）が、配下のマクロセル（第１セル）において通信中のマクロ移動局ＭＵＥ（第１移動局）が下り制御情報又は上り制御情報を送信する制御チャネル用の無線リソースを割り当てている場合、無線リソースを特定する情報を含むスケジューリング情報を、フェムト無線基地局ＦＢＳ（第２無線基地局）に対して通知する工程Ａと、フェムト無線基地局ＦＢＳが、スケジューリング情報に基づいて、配下のフェムトセル（第２セル）において通信中のフェムト移動局ＦＵＥ（第２移動局）が下り制御情報又は上り制御情報を送信する制御チャネル用の無線リソースを割り当てる工程Ｂとを有することを要旨とする。
【００７６】
本実施形態の第１の特徴において、工程Ｂにおいて、フェムト無線基地局ＦＢＳは、マクロ移動局ＭＵＥが下り制御情報を受信するために探索する領域（ＵＥ-Ｓｐｅｃｉｆｉｃ  Ｓｅａｒｃｈ  Ｓｐａｃｅ）とフェムト移動局ＦＵＥが下り制御情報を受信するために探索する領域（ＵＥ-Ｓｐｅｃｉｆｉｃ  Ｓｅａｒｃｈ  Ｓｐａｃｅ）とが重複しないように、上述の無線リソースを割り当ててもよい。
【００７７】
本実施形態の第１の特徴において、ＬＴＥ方式の移動通信システムで用いられる移動通信方法であって、上り制御情報を送信する制御チャネルは、ＰＵＣＣＨを含み、下り制御情報を送信する制御チャネルは、ＰＤＣＣＨを含んでもよい。
【００７８】
本実施形態の第２の特徴は、マクロ無線基地局ＭＢＳ及びフェムト無線基地局ＦＢＳが混在する移動通信システムにおいてマクロ無線基地局ＭＢＳとして機能する無線基地局であって、配下のマクロセルにおいて通信中のマクロ移動局ＭＵＥに対して、下り制御情報又は上り制御情報を送信する制御チャネル用の無線リソースを割り当てるように構成されている無線リソース割当部１１と、無線リソース割当部１１によって割り当てられている無線リソースを特定する情報を含むスケジューリング情報を、フェムト無線基地局ＦＢＳに対して通知するように構成されている通知部１３とを具備することを要旨とする。
【００７９】
本実施形態の第３の特徴は、マクロ無線基地局ＭＢＳ及びフェムト無線基地局ＦＢＳが混在する移動通信システムにおいてフェムト無線基地局ＦＢＳとして機能する無線基地局であって、マクロ無線基地局ＭＢＳが、配下のマクロセルにおいて通信中のマクロ移動局ＭＵＥが下り制御情報又は上り制御情報を送信する制御チャネル用の無線リソースを割り当てている場合、マクロ無線基地局ＭＢＳから、かかる無線リソースを特定する情報を含むスケジューリング情報を受信するように構成されているスケジューリング情報受信部２１と、スケジューリング情報に基づいて、配下のフェムトセルにおいて通信中のフェムト移動局ＦＵＥが下り制御情報又は上り制御情報を送信する制御チャネル用の無線リソースを割り当てるように構成されている無線リソース割当部２２とを具備することを要旨とする。
【００８０】
本実施形態の第３の特徴において、無線リソース割当部２２は、マクロ移動局ＭＵＥが下り制御情報を受信するために探索する領域（ＵＥ-Ｓｐｅｃｉｆｉｃ  Ｓｅａｒｃｈ  Ｓｐａｃｅ）とフェムト移動局ＦＵＥが下り制御情報を受信するために探索する領域（ＵＥ-Ｓｐｅｃｉｆｉｃ  Ｓｅａｒｃｈ  Ｓｐａｃｅ）とが重複しないように、上述の無線リソースを割り当てるように構成されていてもよい。
【００８１】
本実施形態の第２の特徴及び第３の特徴において、移動通信システムは、ＬＴＥ方式の移動通信システムであり、上り制御情報を送信する制御チャネルは、ＰＵＣＣＨを含み、下り制御情報を送信する制御チャネルは、ＰＤＣＣＨを含んでもよい。
【００８２】
なお、上述のマクロ無線基地局ＭＢＳやフェムト無線基地局ＦＢＳやマクロ移動局ＭＵＥやフェムト移動局ＦＵＥの動作は、ハードウェアによって実施されてもよいし、プロセッサによって実行されるソフトウェアモジュールによって実施されてもよいし、両者の組み合わせによって実施されてもよい。
【００８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、マクロ無線基地局ＭＢＳやフェムト無線基地局ＦＢＳやマクロ移動局ＭＵＥやフェムト移動局ＦＵＥ内に設けられていてもよい。また、かかる記憶媒体及びプロセッサは、ディスクリートコンポーネントとしてマクロ無線基地局ＭＢＳやフェムト無線基地局ＦＢＳやマクロ移動局ＭＵＥやフェムト移動局ＦＵＥ内に設けられていてもよい。
【００８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８６】
ＭＢＳ…マクロ無線基地局
ＦＢＳ…フェムト無線基地局
１１、２２…無線リソース割当部
１２…ＭＵＥ通知部
１３…ＦＢＳ通知部
２１…ＭＢＳ割当無線リソース情報受信部
２３…ＦＵＥ通知部
【図１】
2010171885.tif 000003
【図２】
2010171885.tif 000004
【図３】
2010171885.tif 000005
【図４】
2010171885.tif 000006
【図５】
2010171885.tif 000007
【図６】
2010171885.tif 000008
【図７】
2010171885.tif 000009
【図８】
2010171885.tif 000010
【図９】
2010171885.tif 000011
【図１０】
2010171885.tif 000012